(57)【要約】【課題】プリント不良に対処しつつも、不正なプリントを抑制できるプリント端末及びプリントシステムを提供する。【解決手段】万が一プリント不良があった場合、ユーザは、不良のプリントに施された情報を、バーコードリーダ１１３に読み取らせることで、それに応じその顧客の画像データに基づいて再プリントを行うことができ、それによりプリント端末１００の管理者の手を煩わすことなく、顧客の要求を満足させることができる。【選択図】    図６
2005007795.tif 000002
【特許請求の範囲】
【請求項１】
顧客の画像データを入力可能で、該入力された画像データをもとにしてプリントを作成可能なプリント端末において、該プリント端末で作成されたことを示す情報をプリントに施す手段と、該情報が施されたプリントであることを認識する認識手段とを有することを特徴とするプリント端末。
【請求項２】
プリントの基となった画像データの識別情報をプリントに施す手段と、該プリントに施された識別情報を認識する認識手段と、該認識手段で認識された識別情報を基にして前記プリントの基となった画像データを読出す読出手段とを有することを特徴とする請求項１のプリント端末。
【請求項３】
前記読出手段で読出された画像データを基にして、プリントの作成の開始を指示するための入力手段と、該入力手段でのプリント作成開始後、前記画像データを読出すために用いられたプリントを回収する手段とを有することを特徴とする請求項２のプリント端末。
【請求項４】
前記画像データに対する前記回収を伴うプリントの回数が制限されていることを特徴とする請求項３のプリント端末。
【請求項５】
顧客の画像データを入力可能で、該入力された画像データをもとにしてプリントを作成可能な複数のプリント端末を含むプリントシステムにおいて、
各プリント端末が、そのプリント端末で作成されたことを示す情報をプリントに施す手段と、該情報が施されたプリントであることを認識する認識手段とを有し、
第１のプリント端末は、前記認識手段が、第２のプリント端末で作成されたプリントを認識した場合、そのプリントを作成するもととなった画像データと同一な画像データに基づいて、新たにプリントを作成することを特徴とするプリントシステム。
【請求項６】
前記画像データは、前記第２のプリント端末から前記第１のプリント端末へ、メディアに記憶された状態で移送されることを特徴とする請求項５に記載のプリントシステム。
【請求項７】
前記画像データは、前記第２のプリント端末から前記第１のプリント端末へ、ネットワークを介して伝達されることを特徴とする請求項５に記載のプリントシステム。
【発明の詳細な説明】
【０００１】
【発明の属する技術分野】
本発明は、画像データに基づきプリントを行うためのプリント端末及びプリントシステムに関する。
【０００２】
【従来の技術】
近年、デジタルスチルカメラに代表されるデジタル画像データを記憶できる撮像装置は、画像処理技術の向上により、めざましい勢いで普及している。特に、デジタルスチルカメラは、液晶ディスプレイを装備しているため、撮ったその場で画像を確認でき、あるいは不要な画像は消去できるといった長所がある。又、デジタル画像データは、ネットワークを通じて全世界に送信できるという長所があるため、デジタルスチルカメラ及びそれに類する撮像装置は、今後ますます普及すると考えられる。
【０００３】
しかるに、デジタルスチルカメラで撮影した画像を鑑賞する場合、デジタルスチルカメラに装備された液晶ディスプレイでは、一般的に画面が小さすぎて表示された画像を見にくいという問題がある。一方、パソコンのディスプレイなどに表示させれば、大画像を鑑賞できることにはなるが、パソコンを常に使用できるとは限らないし、画像データの読み込みなどの処理が面倒である。
【０００４】
これに対し、画像データに基づいて、写真のごときプリントを形成すれば、取り扱いが容易となり、アルバムに整理することで、大量の画像でも短時間で鑑賞することができるという利点がある。
【０００５】
【発明が解決しようとする課題】
ところで、画像データに基づいてプリントを得る場合の一つの態様は、家庭用プリンタを用いて、ユーザ自ら画像をプリントすることである。かかる態様によれば、ユーザは、好きな時間に好きな枚数だけプリントを行うことができ、また画像処理を駆使することによって、自分の好みの画像を得ることができる等の利点がある。しかしながら、家庭用プリンタを所有していないユーザや、家庭用プリンタを有していても、その使い方に習熟していないユーザも数多く存在する。
【０００６】
そのように家庭用プリンタを駆使できないユーザは、画像データに基づきプリントを所望する場合、ラボなどのプリントショップにプリントを依頼することとなる。しかるに、プリントショップにプリントを依頼すると、プロの手による高画質なプリントは得られるものの、仕上がりまでにある程度日数を必要とするため、手軽にプリント注文ができないという問題がある。近年においては、ネットワークを通じて、２４時間プリント注文を行えるシステムも確立されてきてはいるが、ネットワークを通じてプリント注文を行うことを疎ましく思うユーザも又、相当数存在すると考えられる。
【０００７】
このような背景から、コンビニエンスストアやテーマパーク、あるいは観光地などに無人のプリント装置を設置することが考えられている。かかるプリント装置は、ユーザが画像データを記憶したメディアを所定の箇所に挿入することで、自動的に且つ比較的迅速に所望の画像プリントを容易に得ることができるというものである。
【０００８】
ここで、そのようなプリント装置を利用した場合、たとえば、インクのカスレなどのプリント不良も予想される。かかる場合、プリント装置を管理する管理者が近くにいれば、苦情を申し立てて、再度プリントを作成することも可能である。しかしながら、プリント装置が無人ボックスに備えられていたような場合、その管理者は遠隔地にいる可能性が高く、苦情を申し立てるにしても、電話などによる他はなく、再度プリントを作成するには手間と時間がかかる。一方、プリント装置に再プリントボタンを設け、それを押すことで、ユーザが納得するまで再プリントを行えるという構成も考えられるが、かかる場合、プリント不良でなくても再プリントするユーザも予想され、それにより無料の焼き増しを許してしまうという問題がある。
【０００９】
本発明は、かかる従来技術の問題点に鑑みてなされたものであり、プリント不良に対処しつつも、不正なプリントを抑制できるプリント端末及びプリントシステムを提供することを目的とする。
【００１０】
【課題を解決するための手段】
第１の本発明のプリント端末は、顧客の画像データを入力可能で、該入力された画像データをもとにしてプリントを作成可能なプリント端末において、該プリント端末で作成されたことを示す情報をプリントに施す手段と、該情報が施されたプリントであることを認識する認識手段とを有するので、たとえば万が一プリント不良があった場合、顧客すなわちユーザが、不良のプリントに施された情報を、前記認識手段に認識させることで、前記プリント端末は、かかる認識に応じその顧客の画像データに基づいて再プリントを行うことができ、それにより前記プリント端末の管理者の手を煩わすことなく、顧客の要求を満足させることができる。
【００１１】
更に、プリントの基となった画像データの識別情報をプリントに施す手段と、該プリントに施された識別情報を認識する認識手段と、該認識手段で認識された識別情報を基にして前記プリントの基となった画像データを読出す読出手段とを有すれば、不良のプリントの元となった画像データを特定できるため、再プリントの手間が省ける。
【００１２】
又、前記読出手段で読出された画像データを基にして、プリントの作成の開始を指示するための入力手段と、該入力手段でのプリント作成開始後、前記画像データを読出すために用いられたプリントを回収する手段とを有すれば、不良のプリントを回収することで、顧客が不正に複数枚のプリントを入手することが防止される。
【００１３】
更に、前記画像データに対する前記回収を伴うプリントの回数が制限されていると、顧客が膨大な回数で再プリントを行うことが抑制される。
【００１４】
第２の本発明のプリントシステムは、顧客の画像データを入力可能で、該入力された画像データをもとにしてプリントを作成可能な複数のプリント端末を含むプリントシステムにおいて、各プリント端末が、そのプリント端末で作成されたことを示す情報をプリントに施す手段と、該情報が施されたプリントであることを認識する認識手段とを有し、第１のプリント端末は、前記認識手段が、第２のプリント端末で作成されたプリントを認識した場合、そのプリントを作成するもととなった画像データと同一な画像データに基づいて、新たにプリントを作成するので、たとえば万が一、第１のプリント端末で作成したプリントに不良があった場合、顧客すなわちユーザは、不良のプリントに施された情報を、第２のプリント端末の前記認識手段に認識させれば、かかる認識に応じその顧客の画像データに基づいて第２のプリント端末で再プリントを行うことができ、それにより第１のプリント端末にトラブルが生じていた場合でも、顧客の所望する高品質なプリントを得ることができる。
【００１５】
更に、前記画像データは、前記第２のプリント端末から前記第１のプリント端末へ、メディアに記憶された状態で移送されると好ましい。ここで、メディアの移送は、顧客自らあるいはプリントシステムの管理者が行ってもよい。
【００１６】
又、前記画像データは、前記第２のプリント端末から前記第１のプリント端末へ、ネットワークを介して伝達されると好ましい。ここで、ネットワークを介して伝達するとは、画像データを直接プリント端末間で送信すること、及び一旦センタサーバ等に保存した上で、第２のプリント端末からの要求に応じて、転送するなどの態様が考えられる。
【００１７】
【発明の実施の形態】
以下、実施の形態を参照して本発明を説明する。図１は、本実施の形態にかかるプリント端末の斜視図である。図２は、図１のプリント端末を垂直に切断して側方から見た図である。プリント端末１００は、コンビニエンスストアの店内や、テーマパーク、観光地などの無人ボックスに置かれると好ましい。
【００１８】
図１において、プリント端末１００は、正面（但し側面であっても良く設置場所は限定されない）に、表示手段としてのディスプレイ（画像や文字情報を表示できる手段、例えば液晶ディスプレイが好ましいがＣＲＴであってもよい）１０１を備え、その側方（但し設置場所は限定されない）に、コイン投入口（課金を行う手段の一部を構成している。かかる形態とは別に課金を行う手段がプリペイドカードやクレジットカードによる決済を行うものである場合には、それらのカードの挿入口となり、その場合スリット形状はより薄くなる）１０２を配置し、ディスプレイ１０１の下方（但し設置場所は限定されない）に、限定されることがない各種情報（数字等を入力できるキーを有すると好ましいが、それに限られない）の入力手段としての入力キー操作部１０３，プリント取り出し口１０４，及び複数のメディア挿入口（メディア読取部を含む；但しＵＳＢ等のインターフェースを介して有線で情報を伝達する場合には、ＵＳＢコネクタであっても良い）１０５を備えている。ディスプレイ１０１は、本実施の形態ではタッチパネル式であり、画面上を押すことで任意の入力を行えるが、別個にキーボードを設けても良い。キー操作部１０３の下方（但し設置場所は限定されない）には、プリントを挿入可能なスリット１１２が形成されており、スリット１１２の奥にはバーコードリーダ１１３と回収手段１１６（図３）が配置されている。
【００１９】
図２において、プリント端末１００の内部には、背面側（図２で右方、但し設置場所は限定されない）に、画像形成前の用紙を貯蔵する貯蔵部（カセット方式で取り出せるようにしても良いが、それに限られない）１０７が配置され、そこから正面側及び下方側に、用紙を搬送するための搬送部１０８が延在している。搬送部１０８の末端近傍には、用紙の表面にプリントを行うプリント部（インクジェットプリンタが好ましいが、それに限られない）１０９と、それに対向するようにして、用紙の裏面にプリントを行うバックプリント部（インクジェットプリンタが好ましいが、それに限られない）１１４が配置され、それに隣接して、用紙をカットするためのカッタ１１１が配置されている。カッタ１１１によりカットされたプリントされた用紙は、保存部１０６に保存される。
【００２０】
更に、プリント端末１００の内部には、制御部１１０が配置されている。プリント端末１００の制御ブロック図である図３に示すように、制御部１１０は、プリント部１０９，搬送部１０８，メディア読取部１０５，ディスプレイ１０１，保存部１０６、バーコードリーダ１１３、バックプリント部１１４、画像データを蓄積するメモリ１１５、回収手段１１６に接続され、これらを制御するようになっている。又、制御部１１０は、ルータ１１７を介して、外部のネットワークＷＡＮに接続されている。バックプリント部１１４が、プリント端末１００で作成された情報をプリントに施す手段を構成し、バーコードリーダ１１３が、特定のプリント端末で作成されたプリントであることを認識する認識手段を構成するが、かかる認識の方式としては、光学的認識の他、磁気的認識など各種の態様が考えられる。更に、メディア読取部１０５が、メディアから画像データを読み取る読取手段を構成し、ディスプレイ１０１が、上述したようにタッチパネル式になっているため、情報の入力が可能である入力手段を構成し、回収手段１１６がプリントを回収する手段を構成するが、以上の形態に限られることはない。
【００２１】
図４は、保存部１０６の概略構成を示す斜視図である。図４において、保存部１０６は、１０個の仕切られたボックスからなり、不図示のアクチュエータによって、矢印方向に示すように、プリント端末１００の正面パネルに対して横方向及び近接もしくは離隔する方向に移動可能となっている。たとえばユーザが、キー操作部１０３から受付番号を入力すると、これに応じて制御部１１０は、アクチュエータを介して保存部１０６を矢印方向に移動させ、ユーザの受付番号に対応したボックスの一つがプリント取り出し口１０４に対向するようにする。それによりユーザは、その中に保存された自己のプリントを、プリント取り出し口１０４を介して取り出すことができるが、他のボックス内のプリントは取り出せないようになっているので、プライバシーの保護が保てる。かかる保存部１０６は、プリント端末１００の処理スケジュールが過密で、ユーザの注文に応じて直ちにプリントを行えないような場合、後でプリントを受け取るユーザのために、仕上がったプリントを保存するのに用いると好適である。
【００２２】
次に、本実施の形態にかかるプリント端末１００の動作について説明する。デジタルスチルカメラ等で被写体を撮影したユーザは、プリント端末１００でプリントを所望する場合、画像データを記憶したメディアを抜き取り、プリント端末１００の各種メディア用に用意されたメディア挿入口１０５のいずれかに装填する。すると、制御部１１０は、メディア読取部１０５を介して、装填されたメディアから画像データを読み出して、ディスプレイ１０１に、図５に示す画面を表示させる。
【００２３】
図５に示すように、メディアから読み出された画像データは、ここでは５枚のサムネール画像（サムネール画像に限らず、オリジナル画像もしくはサイズ・解像度が変更された画像であって良い）Ｇ１〜Ｇ５として、ディスプレイ１０１に表示される。また、デフォルト値として、「プリント枚数：１，プリントサイズ：Ｌ（版）」（デフォルト値はこれらに限らず、プリント枚数は０又は２枚以上、プリントサイズはＥ等、Ｌサイズ以外でよい）の情報が、サムネール画像Ｇ１〜Ｇ５の下に（必ずしも下である必要はなく、画像と関連付けられていれば、いずれに設けられていても良い）それぞれ表示される。ここで、ユーザがプリント枚数またはプリントサイズを変更したい場合、画像選択キーＫ１（これに限らず、例えばキー操作部１０３もしくは別個のキーボード（不図示）でも良い）により、いずれかの画像を指定し、且つ変更キーＫ２（これに限らず、例えばキー操作部１０３もしくは別個のキーボード（不図示）でも良い）により、所望のプリント枚数またはプリントサイズに変更できる。プリントが不要であれば、プリント枚数をゼロとすればよい。所望のプリント枚数及びサイズを設定した後、確定キーＫ３を押すことで、制御部１１０は、すべての画像にかかる画像データを、プリント端末１００で作成されたことを示す情報であり且つプリントの基となった画像データに対応する情報（ここでは、８桁の英数字からなる識別情報とするが、それに限られない）をつけた状態でメモリ１１５に記憶すると共に、プリント注文に関する以下の制御を行うようになっている。
【００２４】
図６は、制御部１１０の制御例を示すフローチャートである。制御部１１０は、ステップＳ１０１で、ユーザがプリント枚数・サイズを確認し確定キーＫ３を押したと判断すれば、続くステップＳ１０２で、トータルのプリント枚数（及びプリントサイズ）から、そのユーザの注文によるプリント処理にかかる料金を計算すると共に、ディスプレイ１０１に計算された料金を表示させる。
【００２５】
図７は、ディスプレイ１０１における料金表示画面例を示す図である。ユーザが、かかる画面を見て、コイン（または紙幣でもよい）をコイン投入口１０２（図１）から投入するたびに投入金額が上がり、表示された料金（ここでは９８０円）になったとき、制御部１１０は、図６のステップＳ１０３で、ユーザが正規の料金を支払ったと判断できるので、ステップＳ１０４でプリントを作成することとなる。尚、このような課金決済は、ユーザの所持するプリペイドカードやクレジットカードを用いたカード決済で行うこともできるが、詳細は省略する。
【００２６】
図８は、作成されたプリントＰの裏面を示す図である。プリントＰの表面には、プリント部１０９により、ユーザの注文した画像がプリントされているが、図９に示すように、プリントＰの裏面には、その上部に、バックプリント部１１４により、差込方向を示す矢印Ｙと、バーコードＢＣが記載されている。尚、バーコードＢＣには、プリント端末１００で作成されたことを示す情報且つプリントの基となった画像データの識別情報（ここでは８桁の英数字からなる情報）が含まれている。ここで、プリントＰが裏面に磁気媒体を被覆しているような場合、ここにバーコードに含まれた情報と、表面の画像に対応する画像データとを記憶するようにしてもよい。
【００２７】
ところで、作成されたプリントＰが正常に画像を形成したものであれば、何ら問題はないが、プリント部１０９のトラブルなどに起因して、形成された画像に乱れ等のあるプリント不良が生じる可能性もある。かかる場合、正規の料金を支払ったのにも関わらず、ユーザは十分なサービスを受けることができないと言うことになる。そこで、本実施の形態の場合、以下に述べるようにして、かかる問題をクリアしている。
【００２８】
図９は、制御部１１０の制御例を示すフローチャート図である。プリント不良が生じた場合、ユーザは、その不良プリントＰを、バックプリントされた矢印Ｙの方向でプリント端末１００のスロット１１２に挿入する。まず、図９のステップＳ２０１において、スロット１１２の奥に配置されたバーコードリーダ１１３が、不良プリントＰのバーコードＢＣを認識できたか否か、制御部１１０が判断する。ここで、バーコードＢＣを認識できない理由としては、挿入されたプリントＰに適切なバーコードが形成されていない（バーコードが全く存在しない場合も含む）、又は適切なバーコードＢＣが形成されているが汚染等で読み取れないのいずれかであるが、いずれにせよ再度プリントすべき画像を特定できないため、ステップＳ２０２で、「このプリントは受け付けられません。抜き出してください」等のメッセージを、ディスプレイ１０１に表示させる。
【００２９】
一方、バーコードリーダ１１３が、不良プリントＰのバーコードＢＣを認識できたと判断した場合、ステップＳ２０３で、読出手段である制御部１１０が、バーコードＢＣに含まれた、プリント端末１００で作成されたことを示す情報且つプリントの基となった画像データの識別情報を読み取って、かかる情報でメモリ１１５を検索し、対応する画像データの読み出しを行う。その後、制御部１１０は、ステップＳ２０４で、確認画面表示を行う。
【００３０】
図１０は、ディスプレイ１０１に表示される確認画面の例である。図１０に示すように、確認画面には、ユーザの確認のため、再プリントする画像に対応するサムネール画像（サムネール画像に限らない）Ｇと、プリントにどのような不具合があったかを、ユーザに指摘させるアンケートが表示される。かかるアンケート結果に基づき、プリント端末１００は、たとえばプリント部１０９においてインク交換・補充などの自動メンテナンスを行ったり、サービスデータにエラーとして保存したりできる。
【００３１】
図９に戻り、ステップＳ２０５で、ユーザがたとえばインクカスレを指摘し確認キーＫ４を押したと判断すると、制御部１１０は、ステップＳ２０６で、対応する画像に基づいて新たに画像を形成したプリントを作成する。又、不良プリントＰは、例えばスリット１１２の床を開くことより、プリント端末１００内に落下させる（回収の形態は、これに限らず、例えばフィンガーではさんで回収する、バキュームで吸着して回収する、空気圧で吹き飛ばして回収するなどの回収態様も考えられる）回収手段１１６で回収することで、不正なプリントを抑制することができる。尚、ユーザが希望すれば、追加料金投入により、複数のプリントを作成できるようにしてもよい。
【００３２】
又、制御部１１０は、プリント端末１００で作成されたことを示す情報且つプリントの基となった画像データの識別情報に基づいて、再プリントが何枚なされたかを認識することができる。具体的には、スリット１１２に挿入されたプリントのバーコードＢＣに含まれたプリント端末１００で作成されたことを示す情報且つプリントの基となった画像データの識別情報が、以前再プリントを行ったプリントのものと一致する場合、制御装置１１０は、その都度カウントし、再プリントが何枚なされたかを認識できる。ここで、かかるカウント値が所定回数を超えた場合、制御部１１０は、「再プリントの回数が○回を超えましたので、ここでは再プリントできません。管理者にご連絡下さい。」などというメッセージを、ディスプレイ１０１に表示させ、所定回数を超える再プリントを禁止することができる。但し、再プリントが何枚なされたかを認識する手法は、これに限らず、例えばスリット１１２に挿入されたプリントから、そこに形成された画像を読み取って画像データに変換し、プリント端末１００内に保存されている画像データと比較することで、両者が一致した場合、その都度カウントすることで、再プリントが何枚行われたかを判断することもできる。かかる場合、画像データが、プリント端末１００で作成されたことを示す情報且つプリントの基となった画像データの識別情報そのものとなる。
【００３３】
ところで、以上述べた再プリントは、プリント端末１００を変えて行った方がよい場合もある。たとえば、プリント端末１００のトラブルが深刻であり、制御部１１０の動作では、かかるトラブルが解消し得ず、再プリントしても、また同じプリント不良を引き起こす場合もある。かかる場合、プリント端末１００を変えることが、一つの有効な手となりうる。
【００３４】
図３において、第１のプリント端末１００は、それと同じ機能を有する第２のプリント端末１００と、サーバー２００にネットワーク（公衆回線で結ばれていても良く、専用回線でも結ばれていても良い）ＷＡＮを介して接続されている。これらでプリントシステムを構成する。ここで、バックプリントのバーコードＢＣ（図８）には、プリント端末１００で作成されたことを示す情報且つプリントの基となった画像データの識別情報も含まれているものとする。
【００３５】
ユーザが、第１のプリント端末１００で作成したプリントが不良と判断した場合、第２のプリント端末１００（隣にあってもよいし、離れて設置されていても良い）のスリット１１２に、不良プリントを挿入したときに、制御部１１０は、バーコードリーダ１１３が読み取った、プリント端末１００で作成されたことを示す情報且つプリントの基となった画像データの識別情報から、第１のプリント端末１００を割り出して、そのメモリ１１５にモデム１１６及びネットワークＷＡＮを介してアクセスし、対応する画像データを自分のメモリ１１５にダウンロードする。従って、ダウンロードされた画像データに基づいて、第２のプリント端末１００で再プリントが行える。
【００３６】
一方、これとは別な実施の形態においては、第１のプリント端末１００でプリント作成を行う際に、画像データを固有のプリント端末１００で作成されたことを示す情報且つプリントの基となった画像データの識別情報を対応づけて、サーバー２００にアップロードする。ユーザが、第１のプリント端末１００で作成したプリントが不良と判断した場合、第２のプリント端末１００のスリット１１２に、不良プリントを挿入すると、制御部１１０は、バーコードリーダ１１３が読み取った、固有のプリント端末１００で作成されたことを示す情報且つプリントの基となった画像データの識別情報に基づいて、サーバー２００から、対応する画像データを自分のメモリ１１５にダウンロードする。従って、ダウンロードされた（つまりネットワークを介して伝達された）画像データに基づいて、第２のプリント端末１００で再プリントが行える。
【００３７】
以上の他に、ユーザが、第１のプリント端末１００で作成したプリントが不良と判断した場合、第２のプリント端末１００のスリット１１２に、不良プリントを挿入し、且つ画像データが記憶されたメディアを（第１のプリント端末１００から第２のプリント端末１００に移送して）メディア読取部１０５に挿入すると、制御部１１０は、バーコードリーダ１１３が読み取った、固有のプリント端末１００で作成されたことを示す情報且つプリントの基となった画像データの識別情報から、対応する画像データをメディア読取部１０５で読み取ることができる。この画像データに基づいて、第２のプリント端末１００で再プリントが行える。かかる形態は、第１のプリント端末と第２のプリント端末とが隣接して設けられている場合など、ユーザがメディアを移送させる手間が少ないので効果がある。ただし、プリントの裏面に被覆された磁気媒体などに画像データを記憶していれば、当然、第２のプリント端末１００に対してメディアの挿入は不要となる。
【００３８】
【発明の効果】
本発明によれば、プリント不良に対処しつつも、不正なプリントを抑制できるプリント端末及びプリントシステムを提供することができる。
【図面の簡単な説明】
【図１】本実施の形態にかかるプリント端末の斜視図である。
【図２】図１のプリント端末を水平に切断して上方から見た図である。
【図３】プリント端末１００の制御ブロック図である。
【図４】保存部１０６の概略構成を示す斜視図である。
【図５】ディスプレイ１０１によるプリント注文画面の表示例である。
【図６】制御部１１０の制御例を示すフローチャートである。
【図７】ディスプレイ１０１による料金表示画面の例である。
【図８】プリントＰの裏面を示す図である。
【図９】制御部１１０の制御例を示すフローチャートである。
【図１０】ディスプレイ１０１に表示される確認画面の例である。
【符号の説明】
１００  プリント端末
１０１  ディスプレイ
１０２  コイン投入口
１０３  キー操作部
１０４  プリント取り出し口
１０５  メディア挿入口
１０６  保存部
１０７  貯蔵部
１０８  搬送部
１０９  プリント部
１１０  制御部
１１２  スロット
１１３  バーコードリーダ
１１４  バックプリント部
１１５  メモリ
１１６  回収手段
【図１】
2005007795.tif 000003
【図２】
2005007795.tif 000004
【図３】
2005007795.tif 000005
【図４】
2005007795.tif 000006
【図５】
2005007795.tif 000007
【図６】
2005007795.tif 000008
【図７】
2005007795.tif 000009
【図８】
2005007795.tif 000010
【図９】
2005007795.tif 000011
【図１０】
2005007795.tif 000012